(57)【要約】【課題】  市販されているイヤホンに後からファッション性を付加できるとともに、嗜好の変化に応じて容易に交換することができるようにする。【解決手段】  導出部２３への装着に伴って、その導出部２３に弾性的に止着する弾性止着部３０ｂと、その導出部２３の一部に当接することにより、弾性止着部３０ｂを所定の止着位置に位置決めするための位置決め部３０ａとを形成した構成になっている。【選択図】  図２
2007116577.tif 000002
【特許請求の範囲】
【請求項１】
イヤホン本体に、これの内部から延出したコードを導くための導出部を膨出させて形成したイヤホン用の装飾品において、
上記導出部への装着に伴って、その導出部に弾性的に止着する弾性止着部と、その導出部の一部に当接することにより、弾性止着部を所定の止着位置に位置決めするための位置決め部とを有していることを特徴とするイヤホン用の装飾品。
【請求項２】
弾性止着部と位置決め部を形成した止着用部材に、飾り部材を固着してなることを特徴とする請求項１に記載のイヤホン用の装飾品。
【請求項３】
導出部が、イヤホン本体に膨出して形成された基端からコードを外部に導出させるためのコード導出端にかけてほぼ同じ外径に形成した略円柱形のものであり、
止着用部材は、導出部に被装できる内径の円筒形にして形成されているとともに、これの一端に位置決め部を、かつ、他端に弾性止着部をそれぞれ配置してなることを特徴とする請求項２に記載のイヤホン用の装飾品。
【請求項４】
止着用部材を弾性材で形成するとともに、この止着用部材の他端の内径を導出部の外径よりもやや小さい内径に形成することにより弾性止着部を構成していることを特徴とする請求項３に記載のイヤホン用の装飾品。
【請求項５】
止着用部材には、導出部とイヤホン本体との相貫部分に挿し込める幅にした挿込み用溝が形成されており、その挿込み用溝の互いに対向する辺縁部に、相貫部分に当接係止することによって脱抜を防止する一対の脱抜防止用突起が形成されていることを特徴とする請求項３又は４に記載のイヤホン用の装飾品。
【請求項６】
止着用部材の外周壁に、飾り部材を取り付けるための平坦な取付け面が形成されていることを特徴とする請求項３〜５のいずれかに記載のイヤホン用の装飾品。
【請求項７】
導出部が、イヤホン本体に膨出して形成された基端から、コードを外部に導出させるためのコード導出端にかけてほぼ同径に形成した略円柱形のものであり、
止着用部材は、一対の弾性止着片により形成した弾性止着部を支持板材の一端に配置し、かつ、位置決め片により形成した位置決め部を支持板材の他端に配置してなることを特徴とする請求項２に記載のイヤホン用の装飾品。
【発明の詳細な説明】
【技術分野】
【０００１】
本発明は、インナーイヤー型やカナル型と称される所謂耳栓タイプのイヤホンを装飾するためのイヤホン用の装飾品に関する。
【背景技術】
【０００２】
従来、携帯型プレーヤ等で再生される音楽情報等を聞くために、所謂耳栓タイプのイヤホンを採用したイヤホンセットが使用されている。
このイヤホンセットは、イヤホン本体の各背面側にコードを導くための導出部を膨出して設けた左右一対のイヤホンと、これらの導出部から延出されたコードの先端に接続されたプラグとを有する構成にしたものの他、これらの構成に加えて、音量を調整するためのボリュームや携帯型プレーヤの各部を遠隔操作するための操作部を付設したものも市販されている。
上記した耳栓タイプのイヤホンは、耳に嵌め込むという機能的な制限からコンパクトに形成されているために、ファッション性を高めるための要素を後から付加することが難しい。
【０００３】
ところで、このような耳栓タイプのイヤホンのファッション性を高めようとして、例えば実登３０２４４１６号公報に開示された構成のイヤホン用の装飾品がある。図１３は、その従来のイヤホン用の装飾品の説明図である。
図１３に示すイヤホン用の装飾品は、イヤホン本体１，１の背面側に設けられているコード２，２を導き出すための導出部３，３に、飾り部材である人形４，５を接着剤等によって固着した構成のものである。
【特許文献１】実登３０２４４１６号公報
【発明の開示】
【発明が解決しようとする課題】
【０００４】
しかしながら、上記実登３０２４４１６号公報に開示された従来のイヤホン用の装飾品では、導出部３，３に飾り部材である人形４，５を接着剤等で直接的に固定しているために、人形４，５に対して飽きが生じたときや人形４，５自体を汚損したときにも、それらの人形４，５だけを交換することができない。
従って、このような場合、本来買い換える必要のないイヤホン自体も買い換えなければならず、極めて不経済であるという欠点がある。
【０００５】
そこで本発明は、市販されているイヤホンに後からファッション性を付加できるとともに、嗜好の変化に応じて容易に交換することができるイヤホン用の装飾品の提供を目的としている。
【課題を解決するための手段】
【０００６】
上記の目的を達成するための請求項１に記載した発明は、導出部への装着に伴って、その導出部に弾性的に止着する弾性止着部と、その導出部の一部に当接することにより、弾性止着部を所定の位置に位置決めするための位置決め部とを形成した構成になっている。
この構成によれば、イヤホンの導出部に装飾品を装着する動作に伴って、位置決め部が導出部の一部に当接して位置決めが行われて、弾性止着部が導出部の所定の位置に弾性的に止着される。
【０００７】
請求項２に記載の発明は、請求項１に記載したイヤホン用の装飾品が、弾性止着部と位置決め部を形成した止着用部材に、飾り部材を固着した構成になっている。
【０００８】
請求項３に記載の発明は、請求項２に記載した導出部が、イヤホン本体に膨出して形成された基端からコードを外部に導出させるためのコード導出端にかけてほぼ同じ外径に形成した略円柱形になっており、止着用部材を、導出部に被装できる内径の円筒形に形成しているとともに、これの一端に位置決め部を、かつ、他端に弾性止着部をそれぞれ配置した構成にしている。
【０００９】
請求項４に記載の発明は、請求項３に記載した止着用部材を弾性材で形成するとともに、この止着用部材の他端の内径を導出部の外径よりもやや小さい内径に形成することにより弾性止着部を構成している。
【００１０】
請求項５に記載の発明は、請求項３又は４に記載した止着用部材に、導出部とイヤホン本体との相貫部分に挿し込める幅にした挿込み用溝を形成しており、その挿込み用溝の互いに対向する辺縁部に、相貫部分に当接係止することによって脱抜を防止する一対の脱抜防止用突起を形成している。
【００１１】
請求項６に記載の発明は、請求項３〜５のいずれかに記載した止着用部材の外周壁に、飾り部材を取り付けるための平坦な取付け面が形成されている。
【００１２】
請求項７に記載の発明は、請求項２に記載した導出部が、イヤホン本体に膨出した形成された基端からコードを外部に導出させるためのコード導出端にかけてほぼ同径に形成した略円柱形のものであり、止着用部材は、一対の弾性止着片により形成した弾性止着部を支持板材の一端に配置し、かつ、位置決め片により形成した位置決め部を支持板材の他端に配置した構成になっている。
【発明の効果】
【００１３】
請求項１〜７に記載した発明によれば、イヤホンの導出部に装飾品を装着する動作に伴って、位置決め部が導出部の一部に当接して位置決めが行われるとともに、弾性止着部が導出部の所定の止着位置に弾性的に止着されるので、市販されているイヤホンに後からファッション性を付加できるとともに、嗜好の変化に応じて容易に交換することができる。
【発明を実施するための最良の形態】
【００１４】
以下、本発明の一実施形態について図面を参照して説明する。図１は、本発明の一実施形態に係る装飾品を被装したイヤホンを含むイヤホンセットの使用状態を示す斜視図、図２は、左右一対のイヤホンのうちの一方のものの拡大斜視図、図３は、イヤホンから装飾品とイヤーパッドを分離して示す斜視図、図４は、イヤホンの正面図、図５は、その側面図である。
【００１５】
図１に示すイヤホンセットＢは、本発明の一実施形態に係るイヤホン用の装飾品（以下、たんに「装飾品」という。）Ａを被装した左右一対のイヤホン１０，１０と、これらから導出されたコード１１，１１の先端に接続されたプラグ１２とを有してなるものである。なお、１３は携帯型プレーヤである。
【００１６】
各イヤホン１０は、図２〜５に示すように、略御椀形の内側分割器体２０の開口２０ａと、これとほぼ同形の外側分割器体２１の開口２１ａとを対向させて連結してなる中空構造のイヤホン本体２２、及び詳細を後述する導出部２３からなる。なお、イヤホン本体２２には図示しない小型スピーカが内蔵されている。
【００１７】
内側分割器体２０の側壁は、図示しないメッシュ部材で構成されており、イヤホン本体２２に内蔵された上記した小型スピーカからの音声等を明瞭に聴取できるようになっている。
【００１８】
導出部２３は、イヤホン本体２２に内蔵した小型スピーカ（図示しない）に接続されているコード１１を外部に導出するためのものであり、それは、外側分割器体２１の外側璧２１ｂに、外側方に向けて一体的に膨出して形成されている。
具体的には、上記中心軸線Ｏ１に直交する中心軸線Ｏ２を中心として形成されており、それは、球面に曲成された基端２３ａから、コード１１を外部に導き出したコード導出端２３ｂにかけて同じ外径の円柱形にして形成されている。
また、その長さＬ１は、本実施形態においては外側分割器体２１（内側分割器体２０）の直径Ｄ（図３に示す）のほぼ１．５倍程度になっており、さらに、導出部２３と外側分割基体２１との相貫部分２４は、図５に示すように、側面視において、上下逆向きの落涙形の輪郭になっている。
【００１９】
次に、本発明の一実施形態に係るイヤホン用の装飾品の詳細について説明する。図６は、本発明の一実施形態に係るイヤホン用の装飾品の分解斜視図、図７は、その装飾品の一部をなす止着用部材を示しており、（Ａ）は一方の側面図、（Ｂ）は、その正面図、（Ｃ）は他方の側面図、図８は、飾り部材を示すものであり、（Ａ）はその正面図、（Ｂ）はその他方の側面図である。
【００２０】
装飾品Ａは、図６に示すように、止着用部材３０と、飾り部材４０とからなる。
止着用部材３０は、弾性材であるＰＣＶ（ポリ塩化ビニル）系のプラスチック素材で形成されており、それは、図７に示すように、基端３０ａを閉じかつ他端３０ｂを開口した略円筒形のものであり、その基端３０ａから他端３０ｂに向けて、内径が次第に上記導出部２３の外径よりもやや小径となるように形成されている。
すなわち、導出部２３の外径をＤ１とし、止着用部材３０の他端３０ｂの内径をＤ２とすると、Ｄ１＞Ｄ２の関係になっている。
これにより、止着用部材３０を導出部２３に被装したとき、他端３０ｂが弾性的に拡開変形し、この拡開変形に伴う弾性力によって導出部２３を弾性的に止着して、導出部２３への装着状態が維持されるようになっている。
【００２１】
換言すると、止着用部材３０の他端３０ｂの内径Ｄ２を上記導出部２３の外径Ｄ１よりもやや小さく形成した構成が、導出部２３に弾性的に止着する弾性止着部に相当している。換言すると、力を内向きに作用させて保持力を強めている。
敷衍すると、止着用部材３０の他端３０ｂの弾性力、従ってまた、弾性止着部の弾性力は、例えば止着用部材３０を導出部２３に被装したとき、通常の使用態様によっては、その止着用部材３０が導出部２３から脱抜せず、また、ユーザーが止着用部材３０を導出部２３から脱抜しやすい程度のものに設定している。
本実施形態において「弾性的に止着する」とは、弾性力を利用して、導出部３０に被装された止着用部材３０が、通常の使用態様において動かないように着けることであるが、その弾性力は、ユーザーが止着用部材３０を導出部３０から抜き出すことができる程度のものである。
【００２２】
止着用部材３０の全長Ｌ２は、導出部２３の全長Ｌ１よりもやや短く形成されており、この止着用部材３０を導出部２３に被装して、止着用部材３０の基端３０ａが導出部２３の基端２３ａに当接したとき、止着用部材３０の他端３０ｂが導出部２３のコード導出端２３ｂ近傍に位置決めされるようにしている。
換言すると、基端３０ａと他端３０ｂとの距離を、導出部２３の全長Ｌ１よりもやや短く形成した構成が、弾性止着部を所定の止着位置に位置決めするための位置決め部に相当している。
【００２３】
ところで、止着用部材３０の外周壁３０ｃには、他端３０ｂの開口３０ｄから基端３０ａ近傍にかけて、被装用の溝３０ｅが一定の幅Ｗ１にして形成され、また、中心軸線Ｏ２を挟み被装用の溝３０ｅに対向する位置には、飾り部材４０を取り付けるための平坦な取付け面３０ｆが形成されている。
「一定の幅Ｗ１」は、前記した導出部２３と外側分割器体２１との相貫部分２４の幅Ｗ２にほぼ一致させており、これにより、導出部２３に対する止着用部材３０の相対的な摺動ができるようにしている。
【００２４】
飾り部材４０は、図８に示すように、中心軸線Ｏ３を中心とした７２度の等角度間隔で花弁の輪郭を象った突片４１ａ…を形成した平板状体の台座４１と、この台座４１の他側面（外側面）に固着された６個の宝石４２…とからなる。
「宝石」は、美しさ，希少性，耐久性を持ち、装飾用に使われる鉱物及び有機物のことであり、これらの中から例えば季節に応じたものを選択することができる。例えば、「夏」であれば涼しげなもの、「冬」であれば暖かさを感じられるもの等である。また、宝石に代えて人工石や貴金属等を使用してもよい。
【００２５】
このような構成の飾り部材４０は、止着用部材３０の取付け面３０ｆに対し、台座４１を介して例えば接着剤等で固着されている。本実施形態においては台座４１を平板状体にして、また、取付け面３０ｆも平坦面に形成することにより、それらの接触面積を増大させて固着強度を高めている。すなわち、両者を平坦面にすることによって位置決めが容易となり、止着用部材３０への飾り部材４０の取り付けを容易に行うことができる。
【００２６】
なお、本実施形態においては、止着用部材３０の取付け面３０ｆを平坦にし、また、それに当接する台座４１を平板状に形成することにより接触面積を増大させているが、それら両者をそれぞれ凹曲面に形成することにより接触面積の増大を図るようにしてもよい。
すなわち、止着用部材又は飾り部材若しくはそれら双方に、互いの接触面積を増大させるための取付け部を形成した構成が好ましい。
【００２７】
次に、図９を参照してイヤホンの導出部に飾り部材を装着する様子について説明する。図９は、イヤホンの導出部に装飾品を被装する様子を示しており、（Ａ）は、被装途中の様子を示す一部を断面にした側面図、（Ｂ）は、被装完了の様子を示す一部を断面にした側面図である。なお、図９では、導出部に止着用部材を被装する様子を明確に示す都合上、飾り部材を省略して示している。
【００２８】
まず、前述した図３に示すように、止着用部材３０を、これの開口３０ｄを導出部２３の基端２３ａに被せるようにして装着する。
止着用部材３０の開口３０ｄを導出部２３の基端２３ａに被せ始めると、図９（Ａ）に示すように、その止着用部材３０の他端３０ｂ及び開口３０ｄが拡開するように弾性変形し、また、この弾性変形に伴って、止着用部材３０が導出部２３に止着された状態になるとともに、被装用の溝３０ｅに導出部２３の相貫部分２４が挿入された状態になる。
【００２９】
止着用部材３０を導出部２３にさらに挿し込んでいくと、ついには、図９（Ｂ）に示すように、その止着用部材３０の基端３０ａの内壁が、導出部２３の基端２３ａに当接し、これにより、弾性止着部、すなわち止着用部材３０の他端３０ｂが導出部２３のコード導出端２３ｂ近傍に位置決めされた状態になる。
【００３０】
これにより、装飾品Ａが導出部２３に弾性的にしっかりと止着された状態になるとともに、イヤホン１０と一体的になってファッション性を高めることができる。また、位置決め部と弾性止着部とを離して配置しているので、止着用部材３０を導出部２３に安定して被装することができる。
さらに、装飾品Ａに飽き、また、汚損してしまった場合には、導出部２３から止着用部材３０を引抜くだけで、他の装飾品と簡単に取り替えることができる。
【００３１】
次に、図１０を参照して、止着用部材の第一の変形例について説明する。図１０は、第一の変形例に係る止着用部材の側面図である。なお、この第一の変形例に係る止着用部材は、一対の脱抜防止用突起を形成した点を除き、前述した止着用部材と同等の構成になっているので、ここではそれらと同等のものに同一の符号を付して説明を省略し、ここでは主な相違点について説明する。
この第一の変形例に係る止着用部材３０´は、図１０に示すように、被装用の溝３０ｅに一対の脱抜防止用突起３０ｇ，３０ｇが形成されている。
【００３２】
脱抜防止用突起３０ｇ，３０ｇは、相貫部分２４の傾斜面２４ａ，２４ａと同じ傾斜角度の斜辺部３０ｈ，３０ｈを有する三角形にして形成され、被装用の溝３０ｅの内方に向けて互いに対向するようにして突設されている。
被装用の溝３０ｅにおける形成位置は、止着用部材３０の導出部２３への被装（装着）が完了したとき、相貫部分２４の傾斜面２４ａ，２４ａに斜辺部３０ｈ，３０ｈが密着する位置に形成している。
【００３３】
換言すると、止着用部材３０を導出部２３に被装したとき、具体的には、止着用部材３０の基端３０ａの内壁面に、導出部２３の基端２３ａを当接して位置決めしたとき、相貫部分２４の傾斜面２４ａ，２４ａに斜辺部３０ｈ，３０ｈが密着する位置に形成している。
【００３４】
また、相貫部分２４の基端側が曲面で形成されていることを利用し、脱抜防止用突起３０ｇ，３０ｇの間隔を、相貫部分２４の最大幅Ｗ２よりもやや狭い寸法にしていることにより、脱抜防止用突起３０ｇ，３０ｇを相貫部分２４に押し当てるだけで、止着用部材３０に弾性変形を生じさせて、それら脱抜防止用突起３０ｇ，３０ｇの間隔を広げることができる。
このような一対の脱抜防止用突起３０ｇ，３０ｇを設けることにより、止着用部材３０の導出部２３に対する位置決め状態を保持させやすく、また、止着用部材３０が導出部２３から不時に抜け出すことを確実に防止できる。
【００３５】
次に、図１１を参照して第二の変形例に係る止着用部材について説明する。図１１は、第二の変形例に係る止着用部材を示すものであり、（Ａ）は、その一方の側面図、（Ｂ）はその正面図、（Ｃ）は、その他方の側面図である。
第二の変形例に係る止着用部材５０は、上記止着用部材３０と同じ長さＬ２にしかつ一定の幅にした支持板材５０ａの基端（一端）に位置決め片５０ｂを、また、その支持板材５０ａの下端（他端）に一対の弾性止着片５０ｃ，５０ｃを曲成してなるものである。
【００３６】
位置決め片５０ｂは、前述した導出部２３の基端に密着する面形状に曲成されている。
一対の弾性狭持片５０ｃ，５０ｃは、これの内径が次第に導出部２３の外径よりもやや小径となる同一の円周に円環形にして形成されているとともに、それらの開放端５０ｄ，５０ｄを、上述した被装用の溝３０ｅと同じ間隔にしている。
【００３７】
これにより、止着用部材５０を導出部２３に被装したとき、一対の弾性止着片５０ｃ，５０ｃが弾性的に拡開変形し、この拡開変形に伴う弾性力によって導出部２３に弾性的に止着し、これにより装着状態を維持するようにしている。
弾性止着片５０ｃ，５０ｃの弾性力は、例えば止着用部材５０を導出部２３に被装したとき、通常の使用態様によっては、止着用部材５０が導出部２３から脱抜せず、また、ユーザーによって当該止着用部材５０を導出部３４から容易に抜脱しえる程度のものであることは、上述したものと同様である。
【００３８】
図１２は、第三の変形例に係る止着用部材を示すものであり、（Ａ）は、その一方の側面図、（Ｂ）はその正面図、（Ｃ）は、その他方の側面図である。
なお、この第三の変形例に係る止着用部材は、図１〜９において説明した止着用部材と同等の構成になっているので、それらと同等のものに同一の符号を付して説明を省略し、ここでは主な相違点について説明する。
【００３９】
第三の変形例に係る止着用部材３０″は、中心軸線Ｏ２を挟み被装用の溝３０ｅに対向する位置の外周壁３０ｃに、飾り部材４０を取り付けるための平坦な取付け面３０ｆ´が形成されている。
取付け面３０ｆ´の長さＬ３は、飾り部材４０の外径にほぼ一致させて形成しており、このような取付け面３０ｆ´を形成することにより、前述した止着用部材３０に比較して、取付け面が目立たず、意匠的な美しさを損なわせにくい。
【００４０】
なお、本発明は上述した実施形態に限るものではなく、次のような変形実施が可能である。
止着用部材の内周面に、シリコン等の摩擦を増加させるための高粘度液材を塗布してなる摩擦増加層や摩擦増加膜を形成するようしてもよい。これにより、摩擦抵抗を容易に増加させることができ、不時の脱抜を防止できる。
また、このような摩擦増加層や摩擦増加膜を形成することにより、止着用部材３０の他端３０ｂの内径Ｄ２を上記導出部２３の外径Ｄ１よりも小さくする割合を小さくすることができるようなり、また、そのような内径差を設けない構成にすることもできる。
・上記した実施形態においては、導出部が、イヤホン本体に固定した基端からコードを外部に導出させたコード導出端にかけて同じ外径にして形成されているものを例として説明したが、導出部の基端から中央部にかけて次第に径太になり、また、その中央部からコード導出端に向けて次第に径細になるような構造になっていても、「ほぼ同じ外径」に含まれる。
【００４１】
・弾性止着部と位置決め部を形成した止着用部材に、飾り部材を固着した構成の装飾品について説明しているが、飾り部材に弾性止着部と位置決め部を直接形成するようにしてもよい。
・止着用部材に設けた取付け面は、固着強度等の向上を図るためのものであり、必要に応じて設ければよいものである。
【図面の簡単な説明】
【００４２】
【図１】本発明の一実施形態に係る装飾品を被装したイヤホンを含むイヤホンセットの使用状態を示す斜視図である。
【図２】左右一対のイヤホンのうちの一方のものの拡大斜視図である。
【図３】同上のイヤホンから装飾品とイヤーパッドを分離して示す斜視図である。
【図４】同上のイヤホンの正面図である。
【図５】同上のイヤホンの側面図である。
【図６】本発明の一実施形態に係るイヤホン用の装飾品の分解斜視図である。
【図７】その装飾品の一部をなす止着用部材を示しており、（Ａ）は一方の側面図、（Ｂ）は、その正面図、（Ｃ）は他方の側面図である。
【図８】飾り部材を示すものであり、（Ａ）はその正面図、（Ｂ）はその他方の側面図である。
【図９】同上のイヤホンの導出部に装飾品を被装する様子を示しており、（Ａ）は、被装途中の様子を示す一部を断面にした側面図、（Ｂ）は、被装完了の様子を示す一部を断面にした側面図である。
【図１０】第一の変形例に係る止着用部材の側面図である。
【図１１】第二の変形例に係る止着用部材を示すものであり、（Ａ）は、その一方の側面図、（Ｂ）はその正面図、（Ｃ）は、その他方の側面図である。
【図１２】第二の変形例に係る止着用部材を示すものであり、（Ａ）は、その一方の側面図、（Ｂ）はその正面図、（Ｃ）は、その他方の側面図である。
【図１３】従来のイヤホン用の装飾品の説明図である。
【符号の説明】
【００４３】
１１      コード
２２      イヤホン本体
２３      導出部
２３ａ    基端
２３ｂ    コード導出端
２４      相貫部分
３０      止着用部材
３０ａ    位置決め部
３０ｂ    弾性止着部
３０ｅ    挿込み用溝
３０ｇ    脱抜防止用突起
４０      飾り部材
５０ａ    支持板材
５０ｃ    弾性止着片
５０ｂ    位置決め片
Ａ        イヤホン用の装飾品
【図１】
2007116577.tif 000003
【図２】
2007116577.tif 000004
【図３】
2007116577.tif 000005
【図４】
2007116577.tif 000006
【図５】
2007116577.tif 000007
【図６】
2007116577.tif 000008
【図７】
2007116577.tif 000009
【図８】
2007116577.tif 000010
【図９】
2007116577.tif 000011
【図１０】
2007116577.tif 000012
【図１１】
2007116577.tif 000013
【図１２】
2007116577.tif 000014
【図１３】
2007116577.tif 000015